(57)【要約】【課題】吹出し口からの送風方向に関わらず、芳香剤取付容器の正面への芳香の放出を抑制しつつ、所定空間内への芳香の拡散時間を短縮することのできる芳香剤取付容器を提供することを目的とする。【解決手段】送風装置の吹出し口に配置される芳香剤取付容器１０であって、芳香剤３０を収容する芳香剤配置領域と共に裏面側から表面側へ風を通す通風領域を備えた容器本体１２と、容器本体１２の表面側において、容器本体１２との間に隙間をあけて前記通風領域の配置範囲を覆う風向誘導ユニット２０とを備えることを特徴とする。【選択図】図３
2020014671.tif 000002
【特許請求の範囲】
【請求項１】
送風装置の吹出し口に配置される芳香剤取付容器であって、
芳香剤を収容する芳香剤配置領域と共に裏面側から表面側へ風を通す通風領域を備えた容器本体と、
前記容器本体の表面側において、前記容器本体との間に隙間をあけて前記通風領域の配置範囲を覆う風向誘導ユニットと、を備えることを特徴とする芳香剤取付容器。
【請求項２】
前記風向誘導ユニットは、前記容器本体に対向して配置される第１風向誘導板と、前記容器本体と前記第１風向誘導板との間に配置され、中心側に貫通孔を備えた第２風向誘導板とを有することを特徴とする請求項１に記載の芳香剤取付容器。
【請求項３】
前記第１風向誘導板と前記第２風向誘導板は、前記容器本体の中心を基点として、前記容器本体の外周側へ行く程、前記容器本体から離間する方向への傾斜面を有する事を特徴とする請求項２に記載の芳香剤取付容器。
【請求項４】
前記第１風向誘導板と前記第２風向誘導板は、前記容器本体の厚み方向への移動を可能とし、前記隙間の開度を調節可能な構成としていることを特徴とする請求項２に記載の芳香剤取付容器。
【請求項５】
前記容器本体には、係合部を介して前記吹出し口に備えられたルーバーを構成するフィンへの取付手段が備えられ、
前記容器本体は、前記係合部を基点として回動可能な構成としていることを特徴とする請求項１乃至４のいずれか１項に記載の芳香剤取付容器。
【請求項６】
送風装置の吹出し口に配置され、裏面側から表面側へ風を通す通風領域を備えた芳香剤取付容器に着脱自在な風向誘導ユニットであって、
前記芳香剤取付容器との間に隙間を設けて前記表面側へ装着可能とし、前記通風領域の配置範囲を覆う面積を持つ板部材を備えたことを特徴とする風向誘導ユニット。
【発明の詳細な説明】
【技術分野】
【０００１】
本発明は、芳香剤取付容器に係り、特に、送風装置の吹出し口への芳香剤取り付けに好適な芳香剤取付容器、および風向誘導ユニットに関する。
【背景技術】
【０００２】
芳香剤の芳香を拡散することを目的として、車両等における送風装置の吹出し口に芳香剤を取り付けるための容器として、例えば特許文献１や特許文献２に開示されているようなものが知られている。
【０００３】
特許文献１、２に開示されている芳香剤取付容器は、いずれも、容器本体の内部に芳香剤を収容可能とし、容器本体に、風を挿通させるための孔やスリットを備える構成とされている。そして、容器本体には、送風装置の吹出し口への取付手段として、クリップ等が備えられている。
【０００４】
このような構成の芳香剤取付容器では、吹出し口から吹き出される風が容器本体に設けられた孔やスリットを介して容器内部を通過することで、容器内部に収容された芳香剤の芳香を拡散させることができる。
【先行技術文献】
【特許文献】
【０００５】
【特許文献１】特開２００７−３２０３７８号公報
【特許文献２】特表２０１６−５２８９５７号公報
【発明の概要】
【発明が解決しようとする課題】
【０００６】
特許文献１、２に開示されているような芳香剤取付容器では、容器本体の裏面側から導入した風を容器本体の表面側から放出することで、風と共に芳香の拡散を図ることができる。
【０００７】
しかし、このような構成の芳香剤取付容器では、芳香を風と共に正面に放出する構成とされている。このため、車両内において送風を自己に向けている場合には、芳香が強すぎるという事態が生じ得ると共に、車両室内全体に芳香を拡散させるためには、時間がかかるといった問題がある。
【０００８】
そこで本発明では、吹出し口からの送風方向に関わらず、芳香剤取付容器の正面への芳香の放出を抑制しつつ、所定空間内への芳香の拡散時間を短縮することのできる芳香剤取付容器、およびこのような効果を担う事のできる風向誘導ユニットを提供することを目的とする。
【課題を解決するための手段】
【０００９】
上記目的を達成するための芳香剤取付容器は、送風装置の吹出し口に配置される芳香剤取付容器であって、芳香剤を収容する芳香剤配置領域と共に裏面側から表面側へ風を通す通風領域を備えた容器本体と、前記容器本体の表面側において、前記容器本体との間に隙間をあけて前記通風領域の配置範囲を覆う風向誘導ユニットと、を備えることを特徴とする。
【００１０】
また、上記のような特徴を有する芳香剤取付容器において、前記容器本体は、外周側に芳香剤配置領域を有し、中心側に前記通風領域を配置する構成とすると良い。このような特徴を有することによれば、吹出し口から噴出された風が効率良く容器本体を通過することとなる。
【００１１】
また、上記のような特徴を有する芳香剤取付容器において、前記風向誘導ユニットは、前記容器本体に対向して配置される第１風向誘導板と、前記容器本体と前記第１風向誘導板との間に配置され、中心側に貫通孔を備えた第２風向誘導板とを有するものとすることができる。このような特徴を有することによれば、容器本体を通過した風の向きを効率良く変えることができる。また、１枚の風向誘導板で風向きを変える場合に比べ、整流効果を高め、外周側に噴出する空気の流れがスムーズなものとなる。
【００１２】
また、上記のような特徴を有する芳香剤取付容器において前記第１風向誘導板と前記第２風向誘導板は、前記容器本体の中心を基点として、前記容器本体の外周側へ行く程、前記容器本体から離間する方向への傾斜面を有するようにすることができる。このような特徴を有することによれば、容器本体を通過した風の向きと、風向誘導板により誘導される芳香との成す角が鈍角となる。よって、風向き変更時の抵抗が減り、噴出風の誘導がスムーズなものとなる。
【００１３】
また、上記のような特徴を有する芳香剤取付容器において前記第１風向誘導板と前記第２風向誘導板は、前記容器本体の厚み方向への移動を可能とし、前記隙間の開度を調節可能な構成としても良い。このような特徴を有することによれば、芳香の拡散度合の調整を行うことが可能となる。
【００１４】
さらに、上記のような特徴を有する芳香剤取付容器における前記容器本体には、係合部を介して前記吹出し口に備えられたルーバーを構成するフィンへの取付手段が備えられ、前記容器本体は、前記係合部を基点として回動可能な構成とすることもできる。このような特徴を有することによれば、芳香剤取付容器をルーバーのフィンへ取り付けた状態で、吹出し口から噴出する風が容器本体に導入されないようにすることができる。
【００１５】
また、上記目的を達成するための本発明に係る風向誘導ユニットは、送風装置の吹出し口に配置され、裏面側から表面側へ風を通す通風領域を備えた芳香剤取付容器に着脱自在な風向誘導ユニットであって、前記芳香剤取付容器との間に隙間を設けて前記表面側へ装着可能とし、前記通風領域の配置範囲を覆う面積を持つ板部材を備えたことを特徴とする。
【発明の効果】
【００１６】
上記のような特徴を有する芳香剤取付容器、および風向誘導ユニットによれば、吹出し口からの送風方向に関わらず、芳香剤取付容器の正面への芳香の放出を抑制しつつ、所定空間内への芳香の拡散時間を短縮することができる。
【図面の簡単な説明】
【００１７】
【図１】第１実施形態に係る芳香剤取付容器の外観構成を示す正面図である。
【図２】第１実施形態に係る芳香剤取付容器の外観構成を示す平面図である。
【図３】図１におけるＡ−Ａ断面を示す図である。
【図４】第１実施形態に係る芳香剤取付容器の構成を示す分解斜視図である。
【図５】第２実施形態に係る芳香剤取付容器の外観構成を示す斜視図である。
【図６】第３実施形態に係る芳香剤取付容器の構成を示す分解斜視図である。
【図７】第３実施形態に係る芳香剤取付容器における第１風向誘導板と第２風向誘導板の動きを説明するための図である。
【図８】第４実施形態に係る芳香剤取付容器の構成を示す分解斜視図である。
【図９】第４実施形態に係る芳香剤取付容器の外観構成を示す斜視背面図である。
【図１０】第４実施形態に係る芳香剤取付容器の可動状態における外観構成を示す斜視正面図である。
【図１１】第５実施形態に係る芳香剤取付容器の構成を示す分解斜視図である。
【図１２】第５実施形態に係る芳香剤取付容器の外観構成を示す斜視背面図である。
【図１３】汎用の容器本体に対して発明に係る風向誘導ユニットを取り付けた状態を示す斜視図である。
【図１４】汎用の容器本体から発明に係る風向誘導ユニットを取り外した状態を示す斜視図である。
【発明を実施するための形態】
【００１８】
以下、本発明の芳香剤取付容器、および風向誘導ユニットに係る実施の形態について、図面を参照して詳細に説明する。なお、以下に示す実施の形態は、本発明を実施する上での好適な形態の一部に過ぎない。よって、その効果を奏する範囲において、形態の変更を行ったとしても、本発明の一部とみなすことができる。
【００１９】
［第１実施形態］
まず、図１から図４を参照して、第１実施形態に係る芳香剤取付容器について説明する。なお、図面において図１は、第１実施形態に係る芳香剤取付容器の外観構成を示す正面図であり、図２は、平面図である。また、図３は、図１におけるＡ−Ａ断面を示す図である。さらに、図４は、第１実施形態に係る芳香剤取付容器の構成を示す分解斜視図である。
【００２０】
本実施形態に係る芳香剤取付容器１０は、容器本体１２と、風向誘導ユニット２０と、を備えることを基本として構成されている。容器本体１２は、収容部１４と蓋部１６とから構成されている。収容部１４は、芳香剤３０を収容するための要素であり、収容を予定する芳香剤３０のサイズに応じた厚みを有する凹部を持つように構成されている。また、本実施形態に係る収容部１４は、凹部の底面に送風導入口１４ａ（貫通孔）が備えられ、車両等における送風装置の吹出し口（不図示）から噴出される風を挿通可能な構成とされている。
【００２１】
本実施形態では、一例として、図４に示すような、リング状に形成された含浸材に芳香液を含浸させた芳香剤３０を採用することとしている。このため、芳香剤３０は、収容部１４における凹部の外周側に配置されることとなる。このような形態的な特徴に基づき、送風導入口１４ａを凹部の底面における内側（中心寄り）に配置することで、収容部１４を風（空気）が通過する際の抵抗を減らすことができ、多くの空気を通過させることができ、芳香の拡散効率向上に寄与することができる。なお、図４においては、送風導入口１４ａの形態は、扇型の開口部を複数設けたものとしているが、この形態は限定するものでは無い。例えば、円形や楕円形、矩形、その他の多角形の平面形状からなる開口部により構成しても良い。
【００２２】
また、収容部１４には、送風装置の吹出し口に対する取付手段１８が備えられている。取付手段１８は、収容部１４に対して、一体型であるか、別体型であるかを問うものでは無く、その形態を特定するものでも無い。その機能として、例えば吹出し口に備えられたルーバーのフィンを挟持可能な構成であれば良い。図３に示す例では、取付手段１８をクリップ型とし、収容部１４を基点として突設される一対の挟持片１８ａ，１８ｂと、対を成す挟持片１８ａ，１８ｂのそれぞれから、対向する側の挟持片１８ｂ，１８ａに向かって突設する支持片１８ａ１，１８ｂ１とを有する構成としている。対向配置される支持片１８ａ１，１８ｂ１の間にルーバーのフィンを挿入することで、収容部１４が吹出し口に支持されることとなる。そして、支持片１８ａ１，１８ｂ１は、挟持片１８ａ，１８ｂの先端側から基端側へ向かう傾斜を成すように突設することで、いわゆる返しとしての機能を持ち、抜け止め効果を奏することとなる。
【００２３】
蓋部１６は、収容部１４に収容した芳香剤３０の脱落を防ぐと共に、吹出し口から噴出される風を挿通させるといった作用を担う要素である。本実施形態に係る蓋部１６は、収容部１４における凹部の開口部を覆うことが可能に構成されている。また、収容部１４に収容した芳香剤３０の脱落を防ぐために、少なくとも外周側の一部を閉塞領域１６ａとしている。一方、吹出し口から噴出される風を挿通させる構成として、内周側に開口領域１６ｂを備えている。このような構成とすることで、収容部１４の送風導入口１４ａから導入された風（空気）を効率良く通過させることができる。なお、開口領域１６ｂの開口形態は、１つの大きな孔であっても良いし、複数の孔により構成されても良い。また、開口部の形状も、扇型や楕円、矩形、その他の多角形等、様々な形状とすることができる。
【００２４】
風向誘導ユニット２０は、第１風向誘導板２２、および第２風向誘導板２４から成る。第１風向誘導板２２は、蓋部１６の対向位置に配置され、蓋部１６に形成された開口領域１６ｂの面積よりも大きな面積を持つ板材である。第１風向誘導板２２を開口領域１６ｂに対向して配置することで、容器本体１２を通過した風は、第１風向誘導板２２に衝突し、第１風向誘導板２２の板面方向、すなわち容器本体１２の外周側へ流れることとなる。なお、この時の風の流れ、送風装置の吹出し口からの送風方向と交差する方向となる。
【００２５】
第２風向誘導板２４は、容器本体１２と第１風向誘導板２２との間に配置されている板材である。第２風向誘導板２４は、第１風向誘導板２２と並行となるように配置されている。本実施形態に係る第２風向誘導板２４は、第１風向誘導板２２よりも大きな外形線を有する板材から構成されており、内部に、送風通過口２４ａ（貫通孔）を有する。送風通過口２４ａは、容器本体１２の蓋部１６に設けられた開口領域１６ｂよりも小さな面積を有するものとする。このような構成とすることで、容器本体１２を通過して第２風向誘導板２４に到達した風は、送風通過口２４ａを通過して第１風向誘導板２２へ向かうものと、第２風向誘導板２４により、容器本体１２の外周方向へ誘導されるものとに分けられることとなる。なお、第１風向誘導板２２と、第２風向誘導板２４、および蓋部１６との間には、それぞれに隙間を形成するための支持片２６が備えられている
【００２６】
風向誘導ユニット２０では、複数（本実施形態では２枚）の風向誘導板を備えることで、整流効果を奏することができる。このため、容器本体１２を通過した風を外周側へ誘導する際に、外周側への噴出をスムーズなものとすることができる。
【００２７】
［作用効果］
上記のような特徴を有する芳香剤取付容器１０によれば、吹出し口からの送風方向に関わらず、芳香剤取付容器１０の正面への芳香の放出を抑制しつつ、容器本体１２の外周側への方向の拡散を促すことができる。このような作用により、所定空間内への芳香の拡散時間を短縮することができる。このため、例えば車両の送風装置における吹出し口に芳香剤取付容器１０を取り付けた場合、吹出し口からの風の噴出に伴い、車両の室内空間に短時間で芳香を拡散させることができることとなる。
【００２８】
［第２実施形態］
次に、図５を参照して、第２実施形態に係る芳香剤取付容器について説明する。なお、図５は、第２実施形態に係る芳香剤取付容器の外観構成を示す斜視図である。本実施形態に係る芳香剤取付容器１０Ａも、その基本的な構成は、第１実施形態に係る芳香剤取付容器１０と同様である。よって、その構成を同一とする箇所には、図面に同一符号を附して詳細な説明を省略することとする。
【００２９】
本実施形態に係る芳香剤取付容器１０Ａは、風向誘導ユニット２０を構成する第１風向誘導板２２と、第２風向誘導板２４に傾斜を設けたことを特徴とする。具体的には、本実施形態に係る第１風向誘導板２２と、第２風向誘導板２４では、中心部を基点として、外周側（図５に示す例では、容器本体１２の幅方向外側）に向かうにつれて、容器本体１２から離間する方向へ向かうこととなるように、傾斜が設けられている。
【００３０】
［作用効果］
このような構成とした場合、容器本体１２を通過した風が第１風向誘導板２２、あるいは第２風向誘導板２４に当たった際、風の進入角度と風の誘導方向とが鈍角となる。このため、風向きの変更がスムーズに成され、芳香の拡散効率を向上させることができる。
【００３１】
なお、図５に示す形態では、第１風向誘導板２２と第２風向誘導板２４は、共に、容器本体１２の幅方向に傾斜を持つ構成としている。しかしながら、第１風向誘導板２２と第２風向誘導板２４に付与する傾斜は、容器本体１２の高さ方向であっても良い。また、第１風向誘導板２２と第２風向誘導板２４との傾斜方向が異なる構成であっても良い。
【００３２】
［第３実施形態］
次に、図６、図７を参照して、第３実施形態に係る芳香剤取付容器について説明する。なお、図６は、第３実施形態に係る芳香剤取付容器の構成を示す分解斜視図である。また、図７は、第３実施形態に係る芳香剤取付容器における第１風向誘導板と第２風向誘導板の動きを説明するための図である。
【００３３】
本実施形態に係る芳香剤取付容器１０Ｂも、その基本的な構成は、第１実施形態に係る芳香剤取付容器１０と同様である。よって、その構成を同一とする箇所には、図面に同一符号を附して詳細な説明を省略することとする。
【００３４】
本実施形態に係る芳香剤取付容器１０Ｂは、風向誘導ユニット２０を構成する第１風向誘導板２２と、第２風向誘導板２４が可動である点を特徴とする。具体的には、第１風向誘導板２２や、第２風向誘導板２４を支持するために備えられた支持片２６を蓋部１６に形成した挿通孔１７ａ，１７ｂや、第２風向誘導板２４に形成した挿通孔２５に対してスライド可能に係合する。支持片２６の先端に、図示しない返しを形成することで、支持片２６が挿通孔１７ａや挿通孔２５から突出状態にある時、反しが挿通孔１７ａや挿通孔２５の縁部に引っかかり、第２風向誘導板２４や、第１風向誘導板２２を係止支持することが可能となる。
【００３５】
ここで、蓋部１６に形成する挿通孔１７ｂは、第２風向誘導板２４に形成する挿通孔２５よりも大きな貫通孔とし、第１風向誘導板２２を支持する支持片２６に形成される返しが引っ掛からない形態とする。これにより、第１風向誘導板２２の収容と引き出し、および係止、支持をスムーズなものとすることができる。
【００３６】
［作用効果］
このような構成とした場合、第１風向誘導板２２と第２風向誘導板２４は、次に示すように容器本体１２との間に形成する隙間を閉塞することができる。例えば、図７（Ａ）に示す形態は、容器本体１２と風向誘導ユニット２０との間に形成される隙間を全て閉塞した状態を示すものである。次に、図７（Ｂ）に示す形態は、第２風向誘導板２４の支持片２６を引き出し、第２風向誘導板２４と容器本体１２との間に隙間を形成した状態を示す。図７（Ｃ）は、第２風向誘導板２４と容器本体１２との間の隙間を閉塞した状態で、第１風向誘導板２２の支持片２６を引き出した状態であり、第２風向誘導板２４と第１風向誘導板２２との間に隙間を形成した状態を示す。さらに、図７（Ｄ）に示す状態は、第１風向誘導板２２と第２風向誘導板２４の双方の支持片２６を引き出した状態であり、容器本体１２と第２風向誘導板２４との間と、第２風向誘導板２４と第１風向誘導板２２との間の２箇所に隙間を形成した状態を示す。
【００３７】
このように、本実施形態に係る芳香剤取付容器１０Ｂによれば、第１風向誘導板２２と第２風向誘導板２４の引き出し状態によって、容器本体１２から風を噴出させる隙間の開度を調整することができる。よって、芳香の拡散度合の調整を行うことが可能となる。
【００３８】
［第４実施形態］
次に、図８から図１０を参照して、第４実施形態に係る芳香剤取付容器１０Ｃについて説明する。なお、図８は、第４実施形態に係る芳香剤取付容器の構成を示す分解斜視図である。また、図９は、第４実施形態に係る芳香剤取付容器の外観構成を示す斜視背面図である。さらに、図１０は、第４実施形態に係る芳香剤取付容器の可動状態における外観構成を示す斜視正面図である。本実施形態に係る芳香剤取付容器１０Ｃも、その基本的な構成は、第１実施形態に係る芳香剤取付容器１０と同様である。よって、その構成を同一とする箇所には、図面に同一符号を附して詳細な説明を省略することとする。
【００３９】
本実施形態に係る芳香剤取付容器１０Ｃは、取付手段１８と収容部１４を別体とし、取付手段１８を基点として容器本体１２を動かせる構成としたことを特徴とする。具体的には、容器本体１２を構成する収容部１４に、取付手段１８との係合部１４ｂを形成している。係合部１４ｂは、収容部１４の上半部となる位置に設けるようにすることが好ましい。
【００４０】
取付手段１８は、クリップ型の場合、一対の挟持片１８ａ，１８ｂと係合部１８ｃとの間に、連結片１８ｄを備える構成としている。取付手段１８の挟持片１８ａ，１８ｂと係合部１８ｃとの間に、連結片１８ｄを備える構成とし、収容部１４の係合部１４ｂと、係合部１８ｃを係合させる構成とすることで、挟持片１８ａ，１８ｂが、吹出し口の下部側に備えられたルーバーのフィンを挟持するように配置した場合に、芳香剤取付容器１０Ｃを吹出し口の中央近傍に位置させることが可能となる。よって、吹出し口から噴出した風を効率良く収容部１４に導入することが可能となる。また、収容部１４側の係合部１４ｂの配置位置から状端部までの距離を、係合部１４ｂの厚みより短くした場合には、取付手段１８を吹出し口に取り付けた状態で、係合部１８ｃを基点として、容器本体１２を回動させることが可能となる。
【００４１】
［作用効果］
このような構成の芳香剤取付容器１０Ｃでは、取付手段１８に対して容器本体１２が、係合部１８ｃを基点として矢印Ｂで示す方向へ回動可能となる。このため、送風装置を稼働させた際に芳香を放散させたい場合には、係合部１８ｃを基点として容器本体１２を回動させて、容器本体１２が連結片１８ｄの配置方向に沿う状態、すなわち容器本体１２と風の噴出方向が直交する状態とすれば良い。このような配置形態とした場合、第１から第３実施形態に係る芳香剤取付容器１０，１０Ａ，１０Ｂと同様に、車両室内等に芳香を拡散させることができる。
【００４２】
一方、芳香の放散を控えたい場合には、容器本体１２を回動させて、容器本体１２と連結片１８ｄとの間の成す角を鋭角から直角の範囲に動かすようにすれば良い。このように容器本体１２を回動させることにより、送風装置の吹出し口から噴出した風のうち、容器本体１２に導入される風の割合が変化することとなる。このため、芳香拡散作用を変化させることができる。
【００４３】
なお、容器本体１２と連結片１８ｄとの成す角が直角となっている時が、最も芳香の拡散作用が小さくなる状態である。また、吹出し口から噴出する風を直接自分に当てたい場合には、このような状態とすると良い。
【００４４】
［第５実施形態］
次に、図１１、図１２を参照して、第５実施形態に係る芳香剤取付容器について説明する。なお、図１１は、第５実施形態に係る芳香剤取付容器の構成を示す分解斜視図である。また、図１２は、第５実施形態に係る芳香剤取付容器の外観構成を示す斜視背面図である。本実施形態に係る芳香剤取付容器１０Ｄも、その基本的な構成は、第１実施形態に係る芳香剤取付容器１０と同様である。よって、その構成を同一とする箇所には、図面に同一符号を附して詳細な説明を省略することとする。また、本実施形態に係る芳香剤取付容器１０Ｄは、取付手段１８と容器本体１２（収容部１４）を別体として構成し、取付手段１８を基点として容器本体１２を動かせる構成としたことを特徴としている点が、第４実施形態に係る芳香剤取付容器１０Ｃと一致する。
【００４５】
第４実施形態に係る芳香剤取付容器１０Ｃとの相違点は、容器本体１２を動かす方向にある。すなわち、第４実施形態に係る芳香剤取付容器１０Ｃは、取付手段１８を基点として、容器本体１２を上下方向へ回動させることを可能とする構成としていた。一方で、本実施形態に係る芳香剤取付容器１０Ｄは、取付手段１８を基点として、容器本体を左右方向（図１２において矢印Ｃで示す方向）へ回動させることを可能としている。
【００４６】
具体的な構成としては、取付手段１８を構成する連結片１８ｄの先端に、係合部１８ｃとしての穴を形成している。容器本体１２における収容部１４の係合部１４ｂには、取付手段１８の係合部１８ｃの穴に嵌合可能な軸を備えている。
【００４７】
［作用効果］
このような構成とすることで、穴に軸を係合させ、送風装置の吹出し口に取り付けた場合、容器本体１２は、取付手段１８（連結片１８ｄ）を基点として左右方向（矢印Ｃで示す方向）に向きを変えることができる。このため、容器本体１２に対する噴出空気の導入方向が変化することとなる。このような動きが可能な構成とすることによれば、吹出し口から噴出する風の向きが左右いずれかの方向に向けて噴出されるように設定されている場合であっても、風の噴出方向に対して容器本体を直交させる方向へ傾け、噴出空気の導入を促すことができる。また、容器本体１２を回動させることで、容器本体１２に導入される風の量を調整することもでき、芳香拡散効果を変化させることができる。
【００４８】
［応用形態］
上記実施形態では、容器本体１２と風向誘導ユニット２０とから成る芳香剤取付容器１０〜１０Ｄについて説明してきた。しかしながら、本発明の目的は、送風装置の吹出し口から噴出する風を利用して芳香を効率良く拡散させ、所定空間内への芳香の拡散を短時間で行うという点にある。
【００４９】
このため、本発明は、図１３、図１４に示すように、風向誘導ユニット２０を既存の容器本体１２に脱着可能なアタッチメントとしても良い。なお、図１３は、容器本体１２に対して風向誘導ユニット２０を取り付けた状態を示す例であり、図１４は、容器本体１２から、風向誘導ユニット２０を取り外した状態を示す例である。ここで、容器本体１２は、裏面側から噴出空気を導入し、表面側へ芳香空気を噴出させる基本構成を備えるものであれば、その具体的な構成を問うものではない。また、風向誘導ユニット２０の取り付け構造に関しても、容器本体１２と第２風向誘導板２４との間に隙間を備えて取り付けができる構成であれば、具体的な構造を問うものでは無い。また、図示しないが、例えば第２風向誘導板２４を基点として第１風向誘導板２２の配置方向と反対側に、枠状板部材を配置し、この枠状板部材を介して両面テープ等で接合する構成としても良い。
【００５０】
なお、上記実施形態ではいずれも、風向誘導ユニット２０を構成する風向誘導板は、第１風向誘導板２２と、第２風向誘導板２４の２枚であるとしていた。しかしながら、風向誘導板の枚数は、さらに多くしても良いし、第１風向誘導板２２のみとしても良い。
【００５１】
また、上記実施形態ではいずれも、芳香剤３０を例示するにあたり、リング状の形態を挙げているため、容器本体１２の外周側に芳香剤配置領域を配置し、中心側に通風領域を備えるものとして記載した。しかしながら、芳香剤３０の形態は、多岐に亙るもので良く、芳香剤配置領域と通風領域との配置関係も限定されるものではない。
【００５２】
例えば、容器本体１２の内部に芳香剤３０が収容されていれば、容器本体１２の形態としては、収容部１４と蓋部１６の双方に無数の孔が空いた、いわゆる籠状に形成されたものであっても良い。また、芳香剤３０の形態や数も限定されるものでは無い。すなわち、容器本体１２からの脱落を防ぐことができれば、粒状の含浸材により構成された芳香剤３０が複数収容されている構成とすることもできる。また、容器本体１２が収容可能な形態であれば芳香剤３０が液体やゲル状といった、含浸材を備えない形態であっても良い。このような構成とした場合であっても、容器本体１２を通過する風により、芳香が拡散されるという点で、本願発明の効果を満たすことができるからである。
【符号の説明】
【００５３】
１０，１０Ａ，１０Ｂ，１０Ｃ，１０Ｄ………芳香剤取付容器、１２………容器本体、１４………収容部、１４ａ………送風導入口、１４ｂ………係合部、１６………蓋部、１６ａ………閉塞領域、１６ｂ………開口領域、１７ａ，１７ｂ………挿通孔、１８………取付手段、１８ａ，１８ｂ………挟持片、１８ａ１，１８ｂ１………支持片、１８ｃ………係合部、１８ｄ………連結片、２０………風向誘導ユニット、２２………第１風向誘導板、２４………第２風向誘導板、２４ａ………送風通過口、２５………挿通孔、２６………支持片、３０………芳香剤。
【図１】
2020014671.tif 000003
【図２】
2020014671.tif 000004
【図３】
2020014671.tif 000005
【図４】
2020014671.tif 000006
【図５】
2020014671.tif 000007
【図６】
2020014671.tif 000008
【図７】
2020014671.tif 000009
【図８】
2020014671.tif 000010
【図９】
2020014671.tif 000011
【図１０】
2020014671.tif 000012
【図１１】
2020014671.tif 000013
【図１２】
2020014671.tif 000014
【図１３】
2020014671.tif 000015
【図１４】
2020014671.tif 000016